(57)【要約】      （修正有）【課題】腕力トレーニングボールの回転速度カウント装置の提供。【解決手段】腕力トレーニングボールの中には、発電モジュールであって、回転速度センサーを少なくとも一組、無線伝送モジュールと無線受信機一つを包含する。該発電モジュール、回転速度センサーと無線伝送モジュールは、上記の腕力トレーニングボールの回転球体とスリーブリングの間に設置する。発電モジュールは、回転球体の回転により発生する電力を、回転速度センサーと無線伝送モジュールが必要とする電力として供給する。回転速度センサーは、回転球体の回転速度をカウントすると共に、発生する回転速度カウント信号を無線伝送モジュールに発信する。無線伝送モジュールはその回転速度カウント信号を数値に変換した後、無線方式で伝送出力する。【選択図】図１
0003118250.tif 000002
【実用新案登録請求の範囲】
【請求項１】
腕力トレーニングボールの回転速度カウント装置において、
発電モジュールであって、該腕力トレーニングボールの回転球体とスリーブリング間に結合され、回転球体の回転にともなって発生する直流作業電源を出力する、上記発電モジュール、
少なくとも一対の回転速度センサーであって、腕力トレーニングボール内部に設置されると共に発電モジュールに接続され、該腕力トレーニングボールの回転球体の回転速度を感知すると共に、回転速度カウント信号を出力する、上記少なくとも一対の回転速度センサー、
無線伝送モジュールであって、発電モジュールと回転速度センサーに接続され、直流作業電源と回転速度カウント信号を獲得し、並びに、回転速度カウント信号に基づき、腕力トレーニングボールの回転球体の毎分回転速度、総回転数等の数値を算出すると共に、無線方式でその数値を無線信号として伝送出力する、上記無線伝送モジュール、
無線受信機であって、該無線伝送モジュールが出力する腕力トレーニングボールの回転球体の毎分回転速度、総回転数等の数値の無線信号を受信するのに用いる、並びに、数値信号に変換して出力する、上記無線受信機、
以上を包含したことを特徴とする、腕力トレーニングボールの回転速度カウント装置。
【請求項２】
請求項１記載の腕力トレーニングボールの回転速度カウント装置において、該発電モジュールは、
磁石であって、スリーブリングの周辺に結合された、上記磁石、
インダクションコイルであって、発電モジュール中で、磁石と対応する位置に設置され、磁石に対応してインダクタンスポテンシャルを発生する、上記インダクションコイル、  電圧安定整流回路であって、該インダクションコイルと接続され、該インダクタンスポテンシャルで電圧の安定化と整流を行い、直流作業電源を出力する、上記電圧安定化整流回路、
を包含したことを特徴とする、腕力トレーニングボールの回転速度カウント装置。
【請求項３】
請求項１記載の腕力トレーニングボールの回転速度カウント装置において、回転速度センサーが、フォトセンサーと反射板で構成されたことを特徴とする、腕力トレーニングボールの回転速度カウント装置。
【請求項４】
請求項１記載の腕力トレーニングボールの回転速度カウント装置において、無線伝送モジュールが腕力訓練機内部のスリーブリング上に結合されることを特徴とする、腕力トレーニングボールの回転速度カウント装置。
【請求項５】
請求項１記載の腕力トレーニングボールの回転速度カウント装置において、回転速度センサーが、マグネットスイッチと磁石で構成されたことを特徴とする、腕力トレーニングボールの回転速度カウント装置。
【請求項６】
請求項１記載の腕力トレーニングボールの回転速度カウント装置において、発電モジュールが腕力訓練機内部のスリーブリング上に結合されることを特徴とする、腕力トレーニングボールの回転速度カウント装置。
【請求項７】
請求項１記載の腕力トレーニングボールの回転速度カウント装置において、該無線伝送モジュールは、
カウント回路であって、回転速度センサーが出力する回転数カウント信号を受信すると共に、腕力トレーニングボールの回転球体の毎分回転速度、総回転数等の数値を算出する、上記カウント回路、
無線発信回路であって、カウント回路に接続され、該腕力トレーニングボールの回転球体の毎分回転速度、総回転数等の数値を無線信号に変換して伝送出力する、上記無線発信回路、
以上を包含したことを特徴とする、腕力トレーニングボールの回転速度カウント装置。
【請求項８】
請求項１記載の腕力トレーニングボールの回転速度カウント装置において、該無線受信機は、
受信回路であって、無線伝送モジュールが出力する無線信号を受信すると共に、数値信号に変換して出力する、上記受信回路、
表示回路であって、受信回路に接続され、該数値信号を入力する事で、腕力トレーニングボールの回転球体の毎分回転速度、総回転数等の数値を表示する、上記表示回路、
以上を包含したことを特徴とする、腕力トレーニングボールの回転速度カウント装置。
【請求項９】
請求項１記載の腕力トレーニングボールの回転速度カウント装置において、該無線受信機は、
受信回路であって、無線伝送モジュールが出力する無線信号を受信すると共に、数値信号に変換して出力する、上記受信回路、
USB インターフェース回路であって、受信回路に接続され、該数値信号を入力する事で、USB インターフェース信号に変換して出力する、上記USB インターフェース回路、
以上を包含したことを特徴とする、腕力トレーニングボールの回転速度カウント装置。
【請求項１０】
請求項９記載の腕力トレーニングボールの回転速度カウント装置において、USB インターフェース回路には、USB インターフェースコネクターが設置され、USB インターフェース信号を出力することを特徴とする、腕力トレーニングボールの回転速度カウント装置。
【考案の詳細な説明】
【技術分野】
【０００１】
本考案は腕力トレーニングボールの回転速度カウント装置に関するもの一種で、特に腕力トレーニングボールの回転速度のカウントに用い、また、自身で発電、カウントする発電モジュールを有し、カウント数値を無線伝送する回転速度カウント装置を指す。
【背景技術】
【０００２】
腕力トレーニングボールは広く腕力の鍛錬に使用され、特に、個人の腕の筋肉トレーニング、或いはリハビリに対し、顕著な運動と治療効果がある。例えば、特許文献１と特許文献２はそれぞれ腕力回転運動をメインとする腕力トレーニングボールに関する記載があり、簡単な腕の運転操作で、腕力トレーニングの目的が達成できる。
【０００３】
しかしながら、上記の技術に掲示された従来の腕力トレーニングボールは、高速運転操作の過程において、ユーザーが関連する運動回転速度数値データを知る事がやや困難である。腕力トレーニングボールの回転速度を感知し計測するため、従来の腕力トレーニングボールのケース外部には、体積が巨大な速度センサーが付けらる必要で、腕力トレーニングボール全体の体積が大きく、外形が平坦でなくなり、腕力トレーニングボールの外部を握って操作する際、不便が生じる。また、その外付けのカウントセンサーには、直流電池を付ける必要があり、電池の電力を使いきっていないか随時注意し、カウントセンサーを何度も取り外して電池交換する必要があるため、使用上、更に不便で面倒となる。
【０００４】
上記の従来の腕力トレーニングボールにおいてのカウントセンサーのもう一つの欠点は、そのセンサーが回転速度の表示する機能しか持たず、且つ、そのセンサーが腕力トレーニングボールの表面にあるため、腕力トレーニングボールの運転操作の過程中、ユーザーは回転速度の数値変化や総回転数を随時リアルタイムでチェックする事ができない。腕力トレーニングボールが静止するのを待たなければ、総回転数を見る事ができず、リアルタイムの回転速度を知る事ができないので、そのカウントセンサーの機能は大きく、割り引かれる。並びにその回転速度データを系列的に応用保存、記録、分析する事ができず、例えば、その腕力トレーニングボールの回転速度数値データをリアルタイムで他のパソコン、携帯電話、PDA …等の電電子装置に伝送し、はば広く応用、記録、表示する点について、従来の腕力トレーニングボールの応用範ちゅうは制限を受ける。
【０００５】
【特許文献１】台湾實用新案登録第１３５０５８号
【特許文献２】米国特許第５, ８００, ３１１号
【考案の開示】
【考案が解決しようとする課題】
【０００６】
本考案の主要な目的は、発電モジュール一つと少なくとも一対の回転速度センサーを有する腕力トレーニングボールの回転速度カウント装置を提供する事である。発電モジュールは、腕力トレーニングボールの回転球体の回転に伴い、自身で発電して回転速度センサーに電力を供給し、腕力訓練機の回転球体の回転速度を感知カウントする。
【０００７】
本考案のもう一つの目的は、腕力トレーニングボールの回転速度カウント装置を提供する事である。その発電モジュール及び回転速度センサーは、全て腕力トレーニングボールのケース内部に設置され、腕力トレーニングボールのケースは更に平坦で美しくなり、握って操作がしやすくなっている。
【０００８】
本考案のもう一つの目的は、腕力トレーニングボールの回転速度カウント装置を提供する事である。無線伝送モジュールと無線受信機を有し、その無線伝送モジュールが、腕力トレーニングケース内に設置されると共に、その回転速度センサーと接続され、その回転速度のカウント数値を無線伝送方式で無線受信機に伝送すると、無線受信機がリアルタイムでその腕力トレーニングボールの回転速度のカウント数値を表示し、更に受信機を通して、その回転速度のカウント数値を、パソコン、携帯電話、PDA …等の電子装置に伝送し、応用、記録、表示する。
【０００９】
上記の目的を達成するため、本考案の腕力トレーニングボールの回転速度カウント装置は、発電モジュール一つと少なくとも一対の回転速度センサー、無線伝送モジュール、及び、無線受信機一つを包含する。該その発電モジュール、回転速度センサー、及び無線伝送モジュールは、上記の腕力トレーニングボールの回転球体とスリーブリングの間に設置される。発電モジュールは回転球体の回転により発生する電力を回転速度センサーと無線伝送モジュールが必要な電力として供給する。回転速度センサーは、回転球体の回転速度を感知しカウントすると共に、発生する回転速度カウント信号を無線伝送モジュールに供給し、無線伝送モジュールはその回転速度カウント信号を数値に変換した後、無線方式で伝送出力する。その無線受信機は無線伝送モジュールが出力する回転速度カウントデータを受信すると、回転速度データとして表示したり、回転速度データを電子装置のホスト中に伝送して応用する。腕力トレーニングボールの回転速度のカウント数値を、自身で発電によりカウントし、また回転数のカウント数値を無線伝送する事で、本考案の機能を達成する。
【課題を解決するための手段】
【００１０】
請求項１の考案は、腕力トレーニングボールの回転速度カウント装置において、
発電モジュールであって、該腕力トレーニングボールの回転球体とスリーブリング間に結合され、回転球体の回転にともなって発生する直流作業電源を出力する、上記発電モジュール、
少なくとも一対の回転速度センサーであって、腕力トレーニングボール内部に設置されると共に発電モジュールに接続され、該腕力トレーニングボールの回転球体の回転速度を感知すると共に、回転速度カウント信号を出力する、上記少なくとも一対の回転速度センサー、
無線伝送モジュールであって、発電モジュールと回転速度センサーに接続され、直流作業電源と回転速度カウント信号を獲得し、並びに、回転速度カウント信号に基づき、腕力トレーニングボールの回転球体の毎分回転速度、総回転数等の数値を算出すると共に、無線方式でその数値を無線信号として伝送出力する、上記無線伝送モジュール、
無線受信機であって、該無線伝送モジュールが出力する腕力トレーニングボールの回転球体の毎分回転速度、総回転数等の数値の無線信号を受信するのに用いる、並びに、数値信号に変換して出力する、上記無線受信機、
以上を包含したことを特徴とする、腕力トレーニングボールの回転速度カウント装置としている。
請求項２の考案は、請求項１記載の腕力トレーニングボールの回転速度カウント装置において、該発電モジュールは、
磁石であって、スリーブリングの周辺に結合された、上記磁石、
インダクションコイルであって、発電モジュール中で、磁石と対応する位置に設置され、磁石に対応してインダクタンスポテンシャルを発生する、上記インダクションコイル、  電圧安定整流回路であって、該インダクションコイルと接続され、該インダクタンスポテンシャルで電圧の安定化と整流を行い、直流作業電源を出力する、上記電圧安定化整流回路、
を包含したことを特徴とする、腕力トレーニングボールの回転速度カウント装置としている。
請求項３の考案は、請求項１記載の腕力トレーニングボールの回転速度カウント装置において、回転速度センサーが、フォトセンサーと反射板で構成されたことを特徴とする、腕力トレーニングボールの回転速度カウント装置としている。
請求項４の考案は、請求項１記載の腕力トレーニングボールの回転速度カウント装置において、無線伝送モジュールが腕力訓練機内部のスリーブリング上に結合されることを特徴とする、腕力トレーニングボールの回転速度カウント装置としている。
請求項５の考案は、請求項１記載の腕力トレーニングボールの回転速度カウント装置において、回転速度センサーが、マグネットスイッチと磁石で構成されたことを特徴とする、腕力トレーニングボールの回転速度カウント装置としている。
請求項６の考案は、請求項１記載の腕力トレーニングボールの回転速度カウント装置において、発電モジュールが腕力訓練機内部のスリーブリング上に結合されることを特徴とする、腕力トレーニングボールの回転速度カウント装置としている。
請求項７の考案は、請求項１記載の腕力トレーニングボールの回転速度カウント装置において、該無線伝送モジュールは、
カウント回路であって、回転速度センサーが出力する回転数カウント信号を受信すると共に、腕力トレーニングボールの回転球体の毎分回転速度、総回転数等の数値を算出する、上記カウント回路、
無線発信回路であって、カウント回路に接続され、該腕力トレーニングボールの回転球体の毎分回転速度、総回転数等の数値を無線信号に変換して伝送出力する、上記無線発信回路、
以上を包含したことを特徴とする、腕力トレーニングボールの回転速度カウント装置としている。
請求項８の考案は、請求項１記載の腕力トレーニングボールの回転速度カウント装置において、該無線受信機は、
受信回路であって、無線伝送モジュールが出力する無線信号を受信すると共に、数値信号に変換して出力する、上記受信回路、
表示回路であって、受信回路に接続され、該数値信号を入力する事で、腕力トレーニングボールの回転球体の毎分回転速度、総回転数等の数値を表示する、上記表示回路、
以上を包含したことを特徴とする、腕力トレーニングボールの回転速度カウント装置としている。
請求項９の考案は、請求項１記載の腕力トレーニングボールの回転速度カウント装置において、該無線受信機は、
受信回路であって、無線伝送モジュールが出力する無線信号を受信すると共に、数値信号に変換して出力する、上記受信回路、
USB インターフェース回路であって、受信回路に接続され、該数値信号を入力する事で、USB インターフェース信号に変換して出力する、上記USB インターフェース回路、
以上を包含したことを特徴とする、腕力トレーニングボールの回転速度カウント装置としている。
請求項１０の考案は、請求項９記載の腕力トレーニングボールの回転速度カウント装置において、USB インターフェース回路には、USB インターフェースコネクターが設置され、USB インターフェース信号を出力することを特徴とする、腕力トレーニングボールの回転速度カウント装置としている。
【考案の効果】
【００１１】
本考案は腕力トレーニングボールの回転速度のカウント数値を、自身で発電によりカウントし、また回転数のカウント数値を無線伝送する。
【考案を実施するための最良の形態】
【００１２】
図１、図２、図３、図４を参照する。本考案の腕力トレーニングボールの回転速度カウント装置は以下、番号１００で表示すると共に、番号２００は腕力トレーニングボールを表す。該腕力トレーニングボール２００は、上部ケース２１０と下部ケース２２０、スリーブリング２３０、回転球体２４０を一つずつ包含する。その上部ケース２１０及び下部ケース２２０は中空の半球形のケースとし、上部ケース２１０のトップ部に開口２１１が一つ設けられている。且つ、上部ケース２１０と下部ケース２２０内には、それぞれ止め具パーツ２１２と２２１が付けられ、止め具パーツ２１２と２２１が対応して合わさり、上部ケース２１０と下部ケース２２０を互いに結合する。
【００１３】
スリーブリング２３０は上部ケース２１０と下部ケース２２０との間に設置し、該スリーブリング２３０には一対の穴２３１と２３２がある。回転球体２４０の両側にはそれぞれ軸２４１があり、その２つの軸２４１はそれぞれ穴２３１と２３２の中に挿入されることで、回転球体２４０を上部ケース２１０と下部ケース２２０の間に固定させている。並びにその回転球体２４０は軸２４１を中心として、上部ケース２１０及び下部ケース２２０間を回転する。そのスリーブリング２３０の穴２３１の周辺には固定部２３３が設けられ、その固定部２３３の上方に突出部２３３A が設置されている。該回転球体２４０の周辺に溝２４２が設けられ、その溝２４２は上部ケース２１０の開口２１１に露出している。且つ溝２４２内には少なくとも一つの穴２４３があり、プルロープ２４４をその穴２４３に通し、溝２４２に沿って、回転球体２４０の表面に巻き付ける。更にプルロープ２４４を反対方向に引っ張る事により、回転球体２４０が回転運動する。上記の回転球体２４０内部には、若干の通路２４５が設けられ、回転球体２４０の両側を互いに連通する( 図４に示す通り) 。上記の腕力トレーニングボール２００の回転球体２４０の操作に関しては、従来の技術に属するので、ここでは述べないものとする。
【００１４】
図５に示すように、本考案の回転速度カウント装置１００には発電モジュール１０であって、回転速度センサー２０と３０を少なくとも一対、無線伝送モジュール４０であって、無線受信機５０を包含する。該その発電モジュール１０は上記の腕力トレーニングボール２００の回転球体２４０の片側に接続している。その発電モジュール１０は磁石１１であって、若干のインダクションコイル１２、整流電圧安定化回路１３( 図５に示す通り)一つを包含し、該磁石１１は腕力トレーニングボール２００のスリーブリング２３０の固定部２３３に結合固定されている。インダクションコイル１２は、発電モジュール１０中の磁石１１と対応する位置に設置する。その回転球体２４０が回転する時、インダクションコイル１２と磁石１１との間に電磁誘導が発生し、インダクションコイル１２にインダクタンスポテンシャルを発生させる。その整流電圧安定化回路１３は、インダクションコイル１２と接続し、インダクションコイル１２が発生させたインダクタンスポテンシャルを整流電圧安定化を経て、安定した直流出力を形成する。上記の発電モジュール１０は、磁石１１、若干のインダクションコイル１２、及び整流電圧安定化回路１３に限らず、同等効果の直流パワーサプライによる構成もまた本考案の主張する範ちゅうに属する。
【００１５】
上記の回転速度センサー２０と３０は、それぞれ腕力トレーニングボール２００内部の適当な位置に結合し、腕力トレーニングボール２００の回転球体２４０の回転速度の感知に用いる。本考案の第一実施例中、その回転速度センサー２０と３０は、それぞれスリーブリング２３０の固定部２３３の突出部２３３A 上に設置され、その回転速度センサー２０と３０の型式に対する制限はない。本考案の第一実施例においては、フォトセンサーと反射板を説明のための実施例としているが、その他の同等効果の対応するセンサーもまた本考案の主張する範ちゅうに属する。該その回転速度センサー２０は、光線発射と光線反射により信号を感知する事ができ、その回転速度センサー２０は、上記の発電モジュール１０の整流電圧安定化回路１３に接続して、直流作業電源を得る。その回転速度センサー２０は、回転球体２４０の回転により、回転速度センサー３０が対応し、回転速度カウント信号S が発生する方式で、回転球体２４０の回転速度と回数をカウントの基礎とする。
【００１６】
上記の無線伝送モジュール４０は、腕力トレーニングボール２００の回転球体２４０の片側に設置される。その無線伝送モジュール４０は、二つの導線４１と４２により、それぞれ上記の発電モジュール１０の整流電圧安定回路１３と回転速度センサー２０に接続され、それぞれ直流作業電源と回転速度カウント信号S を獲得する。その無線伝送モジュール４０は、カウント回路４３一つと、無線発信回路４４一つを包含する。そのカウント回路４３は回転速度センサー２０と接続して、回転速度カウント信号S を入力すると共に、回転球体２４０の毎分回転速度(rpm) を計算したり、総回転数等の数値を出力する。その無線発信回路４４は、カウント回路４３に接続し、そのカウント回路４３が出力する回転球体２４０の毎分回転速度や総回転数等の数値は、無線信号方式で伝送出力される。その無線伝送モジュール４０の形態は、上記カウント回路４３、及び無線発信回路４４の構造に限らず、同等の効果の無線信号発信回路は全て、本考案の主張する範ちゅうから外れるものではない。
【００１７】
上記の無線受信機５０は、受信回路５１一つと表示回路５２一つを包含し、その受信回路５１は、無線方式で上記の無線伝送モジュール４０が伝送する回転球体２４０の毎分回転速度や総回転数等の数値の無線信号を受信すると同時に、対応する数値信号D に変換して出力する。その表示回路５２は、受信回路５１に接続され、数値信号D を入力する事で、リアルタイムでその腕力トレーニングボール２００の回転球体２４０の毎分回転速度や総回転数等の数値を表示する。上記の無線受信機５０の形態はまた、受信回路５１と表示回路５２の構造に制限されるものではなく、同等効果の無線受信回路による構成も、本考案の範ちゅうに属する。
【００１８】
更に本考案の回転速度カウント装置１００の第二実施例として図６を参照する。その中で、その回転速度センサー２０’と３０’は、それぞれマグネットスイッチと磁石とする。その回転速度センサー２０’は上記の無線伝送モジュール４０上に結合し、回転速度センサー３０’は、上記の腕力トレーニングボール２００のスリーブリング２３０周辺の接続部２３４上に結合固定され、その回転速度センサー２０’に対応する。回転球体２４０の回転により、回転速度センサー２０’と３０’が互いに対応して、回転速度センサー２０’に図５に示す回転速度カウント信号S を発生し、出力させる。
【００１９】
更に本考案の回転速度カウント装置１００の第四実施例として、図７と図８を参照する。その中で、その無線受信機５０’は、受信回路５１とUSB インターフェース回路５３を包含する。そのUSB インターフェース回路５３は、USB コネクター５３１が設けられる。そのUSB インターフェース回路５３は、その受信回路５１が出力する数値信号D を受信すると共に、USB インターフェース信号に変換して、USB コネクター５３１を経由して出力する。そのUSB コネクター５３１は、電子装置３００のUSB ポート３１０に接続され、その  腕力トレーニングボール２００の回転球体２４０の毎分回転数と総回転数等の数値を電子装置３００中に伝送し、リアルタイムに保存、記録、表示或いは応用する。その電子装置３００の型式に制限はなく、本考案の第四実施例中ではノートパソコンを説明の実施例としているが、その他のパソコン、PDA や携帯電話等、USB インターフェースを有する電子装置もまた、本考案の応用範ちゅうとする。
【図面の簡単な説明】
【００２０】
【図１】本考案の第一実施例の立体外観構造図である。
【図２】図１の立体分解構造図である。
【図３】図１中の局部拡大図であり、その発電モジュール、回転速度センサー、及び無線発信モジュールと回転球体間とのスリーブリングの構造を表示する。
【図４】図１中の回転球体の断面拡大図である。
【図５】図１中の発電モジュール、無線伝送モジュール、及び無線受信機の電気回路ブロック図である。
【図６】本考案の第二実施例の図である。
【図７】本考案第三実施例の図である。
【図８】図７中の無線受信機の電気回路ブロック線図である。
【符号の説明】
【００２１】
１００    回転速度カウント装置
１０      発電モジュール
１１      磁石                        １２  インダクションコイル
１３      整流電圧安定化回路          ２０  回転速度センサー
２０’    回転速度センサー            ３０  回転速度センサー
３０’    回転速度センサー            ４０  無線伝送モジュール
４１      導線                        ４２  導線
４３      カウント回路                ４４  無線発信回路
５０      無線受信機                  ５０’無線受信機
５１      受信回路                    ５２  表示回路
５３       USBインターフェース回路    ５３１ USBコネクター
２００    腕力トレーニングボール      ２１０  上部ケース
２１１    開口                        ２１２  止め具パーツ
２２０    下部ケース                  ２２１  止め具パーツ
２３０    スリーブリング              ２３１  穴
２３２    穴                          ２３３  固定部
２３３A   突出部                      ２３４  接続部
２４０    回転球体                    ２４１  軸
２４２    溝                          ２４３  穴
２４４    プルロープ                  ２４５  通路
３００    電子装置                    ３１０ USBポート
S         回転速度カウント信号         D      数値信号
【図１】
0003118250.tif 000003
【図２】
0003118250.tif 000004
【図３】
0003118250.tif 000005
【図４】
0003118250.tif 000006
【図５】
0003118250.tif 000007
【図６】
0003118250.tif 000008
【図７】
0003118250.tif 000009
【図８】
0003118250.tif 000010